(57)【要約】【課題】おむつの着用者の大腿部の上側面が、おむつ本体が備えるテープファスナの側縁によって妄りに刺激を受けないようにすること。【解決手段】テープファスナ１０の第１区域１１の上下側縁１１ａ，１１ｂの少なくとも下側縁１１ａと、テープファスナ１０の第２区域１２の下側縁１２ａの仮想延長線Ｎとの間にスペースＳが形成されている前記おむつ。【選択図】図２
2008188349.tif 000002
【特許請求の範囲】
【請求項１】
縦軸及び横軸を有し、前記縦軸の方向に対向して前記横軸の方向へ延びる第１及び第２端部と前記横軸の方向へ対向して前記縦軸の方向へ延びる第１及び第２側縁部によって画成され、股下域を介して対向する第１及び第２ウエスト域を有するおむつ本体と、前記第１及び第２ウエスト域を連結するテープファスナとから構成され、
前記テープファスナが、前記縦軸の方向に対向する上下側縁と、該上下側縁の間における仮想長さ方向中心線とを有し互いに連続する第１及び第２区域を含み、前記第１区域が前記第１ウエスト域における前記第１及び第２側縁部の少なくとも該第１側縁部に固定され、前記第２区域は前記第１側縁部から前記横軸の方向へ前記仮想中心線が前記横軸と平行になるように延出し、前記第２区域がその内面にファスナ部を有する使い捨ておむつにおいて、
前記テープファスナの前記第１区域が前記第２区域に対して前記第１ウエスト域の前記第１端部の側へずれて位置し、前記第１区域の下側縁と、前記第２区域の下側縁の、前記縦軸の側への仮想延長線との間にスペースが形成されていることを特徴とする前記おむつ。
【請求項２】
前記テープファスナの前記第１区域の前記下側縁が、前記おむつ本体の前記第１側縁部から前記縦軸の側へ向かうにつれて前記第１ウエスト域の前記第１端部の側へ傾斜する請求項１に記載のおむつ。
【請求項３】
前記第１区域の前記下側縁が、少なくとも一つの円弧に形成されている請求項１又は２に記載のおむつ。
【請求項４】
前記円弧が、凹状又は凸状に形成されている請求項３に記載のおむつ。
【請求項５】
前記円弧が、凹状及び凸状に形成され、これらの円弧が、前記第１区域の前記下側縁の長さ方向へ連続している請求項３に記載のおむつ。
【請求項６】
前記第１区域と前記第２区域との、前記縦軸の方向における寸法が、互いにほぼ同じであり、前記第１区域の面積が、前記第２区域の前記ファスナ部の面積よりも大である請求項１〜５のいずれかに記載のおむつ。
【請求項７】
前記第２区域が、前記ファスナ部から前記横軸の方向の外側へ延びる摘持タブを有する請求項１〜６のいずれかに記載のおむつ。
【請求項８】
前記第１区域が、前記おむつ本体を構成し、肌当接面を形成する繊維不織布を含む積層部材の層間に介在している請求項１〜７のいずれかに記載のおむつ。
【請求項９】
前記ファスナ部が、メカニカルファスナのフック群若しくはループ群又は感圧性接着剤層によって形成されている請求項１〜８のいずれかに記載のおむつ。
【発明の詳細な説明】
【技術分野】
【０００１】
この発明は、おむつの前後ウエスト域を連結するためのテープファスナを備える使い捨ておむつに関する。
【背景技術】
【０００２】
従来、おむつ本体の前後ウエスト域を連結するためのテープファスナを備える使い捨ておむつは周知である。例えば、このようなテープファスナの一例として、特許文献１に開示されているテープファスナ１１０（図５（ａ）参照）のように、おむつ本体の後ウエスト域の両側縁部に固定される第１区域１１１とテープファスナ１１０を前ウエスト域に剥離可能に止着するためのファスナ部が取り付けられている第２区域１１２とがともにおむつ本体の横方向へ一連に延びているもの、または、特許文献２に開示されているテープファスナ２１０（図５（ｂ）参照）のように、第１区域２１１がおむつ本体の後ウエスト域において上下方向へ張り出し、おむつ本体の前ウエスト域に接合されている受止シート片２１９に剥離可能に止着される第２区域２１２がおむつ本体の横方向へ延出し、テープファスナ２１０が全体として凸形状を有しているものがある。
【特許文献１】特開平０８−３１７９５０号公報
【特許文献２】特開平０９−０３８１３９号公報
【発明の開示】
【発明が解決しようとする課題】
【０００３】
通常、おむつの着用者である乳幼児は、使い捨ておむつを着用している際に、脚をばたつかせたり、両手と両膝とを床面等につけ這ったりすることがある。その際に、特許文献１及び２に開示されているテープファスナ１１０，２１０を使用する使い捨ておむつにおいては、ウエスト域の側縁部に位置する第１区域１１１，２１１の下側縁１１１Ａ，２１１Ａが大腿部１３０の上側面１３０ａに当接するので、着用者の肌に不快感を与えるだけでなく、皮膚を傷つけ、炎症を起こしたりするおそれがある。これは、こうしたテープファスナが、その多数が形成されるシートから切断して得られた側縁を有し、おむつ本体の柔軟な構成部材に比較して高剛性であり、その剛性なテープファスナの側縁（切断縁）が使い捨ておむつの主たる着用者である乳幼児のデリケートな肌に刺激を与えるからである。
【０００４】
なお、そのような問題を解決する手段として、例えば、テープファスナの固定位置を後ウエスト域の上方へ偏倚させることが考えられるが、通常、テープファスナの固定位置は、おむつを着用者に適正に着用させるためほぼ定まるから、テープファスナの全体の位置を後ウエスト域の上方へ任意に偏倚させることは好ましくない。
【０００５】
この発明の主たる目的は前記課題を解決することにあり、この発明のその他の目的は、この発明の説明から理解されよう。
【課題を解決するための手段】
【０００６】
前記課題を解決するための本発明は、縦軸及び横軸を有し、前記縦軸の方向に対向して前記横軸の方向へ延びる第１及び第２端部と前記横軸の方向へ対向して前記縦軸の方向へ延びる第１及び第２側縁部によって画成され、股下域を介して対向する第１及び第２ウエスト域を有するおむつ本体と、前記第１及び第２ウエスト域を連結するテープファスナとから構成され、前記テープファスナが、前記縦軸の方向に対向する上下側縁と、該上下側縁の間における仮想長さ方向中心線とを有し互いに連続する第１及び第２区域を含み、前記第１区域が前記第１ウエスト域における前記第１及び第２側縁部の少なくとも該第１側縁部に固定され、前記第２区域は前記第１側縁部から前記横軸の方向へ前記仮想中心線が前記横軸と平行になるように延出し、前記第２区域がその内面にファスナ部を有する使い捨ておむつを改良することにある。
【０００７】
改良に係るこの発明の特徴は、前記テープファスナの前記第１区域が前記第２区域に対して前記第１ウエスト域の前記第１端部の側へずれて位置し、前記第１区域の下側縁と、前記第２区域の下側縁の、前記縦軸の側への仮想延長線との間にスペースが形成されていることにある。
【０００８】
この発明は、好ましい下記の実施の形態を含む。
【０００９】
前記テープファスナの前記第１区域の前記下側縁が、前記おむつ本体の前記第１側縁部から前記縦軸の側へ向かうにつれて前記第１ウエスト域の前記第１端部の側へ傾斜する形態。
【００１０】
前記第１区域の前記下側縁が少なくとも１つの円弧に形成されている形態。
【００１１】
前記円弧が、凹状又は凸状に形成されている形態。
【００１２】
前記円弧が、凹状及び凸状に形成され、これらの円弧が前記第１区域の前記下側縁の長さ方向へ連続している形態。
【００１３】
前記第１区域と前記第２区域との、前記縦軸の方向における寸法が、互いにほぼ同じであり、前記第１区域の面積が、前記第２区域の前記ファスナ部の面積よりも大である形態。
【００１４】
前記第２区域が、前記ファスナ部から前記横軸の方向の外側へ延びる摘持タブを有する形態。
【００１５】
前記第１区域が、前記おむつ本体を構成し、肌当接面を形成する繊維不織布を含む積層部材の層間に介在している形態。
【００１６】
前記ファスナ部が、メカニカルファスナのフック群若しくはループ群又は感圧性接着剤層によって形成されている形態。
【００１７】
なお、この発明において、前記第1ウエスト域は前後ウエスト域の一方を、かつ、前記第２ウエスト域は該前後ウエスト域の他方を意味する。
【発明の効果】
【００１８】
この発明に係るテープファスナによれば、第１区域の下側縁が第２区域の下側縁と第１ウエスト域（例えば、後ウエスト域）の第１端部（例えば、上端部）の側へ離れてずれて位置し、第１区域の下側縁と、第２区域の下側縁の縦軸の側への仮想延長線との間にスペースが形成されているから、従来のおむつと同じ位置の第１ウエスト域に第２区域が位置していても、おむつの着用状態において、着用者が脚を活発に動かしたときなどにおいて、大腿部の上側面がテープファスナの第１区域の下側縁に当接して着用者の肌に不快感を与えたり、皮膚を傷つけたり、炎症を起こしたりするような刺激を与えるおそれが少なく、所期の目的を達成することができる。
【発明を実施するための最良の形態】
【００１９】
図１は、この発明に係る使い捨ておむつの内面の部分破断平面図である。おむつ本体１は、主として、繊維不織布、多孔プラスチックフィルム、それらのラミネート等から形成され、肌当接側に位置する透液性の表面シート２と、透湿性プラスチックフィルム、繊維不織布、それらのラミネート等から形成され、非肌当接側に位置する不透液性の裏面シート３と、フラッフパルプと超吸収性ポリマー粒子との混合等から形成され、表裏面シート２，３間に介在し固定されている吸液性コア４と、繊維不織布等から形成され、表面シート２の上面の両側部に位置する一対のシート状の液バリヤカフ５とから構成されている。
【００２０】
おむつ本体１は、前ウエスト域２０と、後ウエスト域２２と、それら前後ウエスト域２０，２２の間に位置する股下域２１と、縦軸Ｙの方向に対向し横軸Ｘの方向へ延びる両端部６と、横軸Ｘの方向に対向し縦軸Ｙの方向へ延びる両側縁部７とを有する。両側縁部７は、着用者の大腿部に沿ってフィットするように股下域２１において凹曲状に形成されている。
【００２１】
液バリヤカフ５それぞれは、吸液性コア４の両側縁４ｂの外側近傍に沿って縦軸Ｙの方向へ延びその近傍に固定されている近位縁部５ａと、近位縁部５ａよりも内側（縦軸Ｙの側）に位置していて内側縁部が折り返された遠位縁部５ｂと、縦軸Ｙの方向における両端部５ｃと、近位縁部５ａからさらにおむつ本体１の側縁部７へ延びるサイドフラップ形成部５ｄとを有する。遠位縁部５ｂの内部にはその長さ方向へ延びる伸縮弾性部材８が伸長状態で取り付けられ、伸縮弾性部材８の収縮によって遠位縁部５ｂが表面シート２の上方へ離間している。
【００２２】
おむつ本体１の両端部６では、吸液性コア４の両端縁４ａから縦軸Ｙの方向へ延出する表面シート２の両端縁部２ａと裏面シート３の両端縁部３ａとが互いに重なって接合されることで、エンドフラップ６ａが形成され、その内部にはその長さ方向へ延びるテープ状のウエスト弾性部材９が伸長状態で取り付けられている。エンドフラップ６ａにおける表面シート２の上面には液バリヤカフ５の両端部５ｃが接合されていている。
【００２３】
おむつ本体１の両側縁部７では、表面シート２の両側縁部２ｂが吸液性コア４の両側縁４ｂから横軸Ｘの方向へ延出し、両側縁部２ｂからさらに同方向へ裏面シート３の両側縁部３ｂと液バリヤカフ５の両サイドフラップ形成部５ｄとが延出して互いに接合されることで、サイドフラップ７ａが形成され、股下域２１におけるサイドフラップ７ａの内部には脚周り方向へ延びる複数条の脚弾性部材１８が伸長状態で取り付けられている。表面シート２の両側縁部２ｂは、裏面シート３の両側縁部３ｂと液バリヤカフ５の両サイドフラップ形成部５ｄとの間に固定されている。
【００２４】
おむつは一対のテープファスナ１０を含み、テープファスナ１０それぞれは、後ウエスト域２２の両側縁部７に取り付けられている。ただし、これらテープファスナ１０は、両側縁部７の少なくとも一方に取り付けられ、その他方は予め連結されていてもよい。前ウエスト域２０における裏面シート３の外面には、メカニカルファスナのフック群を有し、テープファスナ１０の受止域を画成する受止シート片（ターゲットテープ）１９が取り付けられている。テープファスナ１０は、プラスチックフィルム、繊維不織布、それらのラミネートやクラフト紙等の比較的剛性なシート材料から形成され、後ウエスト域２２の両サイドフラップ７ａに固定された第１区域１１と、第１区域１１からサイドフラップ７ａの、横軸Ｘの方向へ延出する第２区域１２とを有する。第２区域１２の内面には受止シート片１９が有するメカニカルファスナのループ群に剥離可能なメカニカルファスナのフック群を有するファスナ部１３が接合され、ファスナ部１３からは摘持タブ１４が横軸Ｘの方向へ延びている。第１区域１１と第２区域１２との、縦軸Ｙの方向における寸法は互いにほぼ同じであり、第１区域１１の面積はファスナ部１３の面積より大きく形成されている。第１区域１１は裏面シート３の側縁部３ｂと液バリヤカフ５のサイドフラップ形成部５ｄとの間に位置している。受止シート片１９に替えて、裏面シート３が所要強度の繊維不織布から形成される場合には、裏面シート３にテープファスナ１０のファスナ部１３を剥離可能に直接止着するようされていてもよい。
【００２５】
なお、図示するまでもなく、おむつによっては、説明だけから明らかなように、テープファスナ１０は、後ウエスト域２２に替えて、前ウエスト域２０に取り付けられていてもよく、その場合には、受止テープ片１９は後ウエスト域２２に取り付けられる。
【００２６】
また、図示されてはいないが、未使用時にテープファスナ１０の第２区域１２を暫定的に固定するため、第２区域１２が縦軸Ｙ側へ折り返され、その対向面に繊維不織布から形成される液バリヤカフ５が位置している場合、その対向面に剥離可能に止着することが好ましい。また、フック群を有するファスナ部１３に替えて粘着剤が塗布されてもよい。この場合には、前記対向面に例えばシリコンを塗布したセパレータを接合し、受止シート片１９には表面が平滑な離型性を有するプラスチックフィルムが接合されていることが好ましい。
【００２７】
図２は、テープファスナ１０の形状と取り付け状態を示すおむつの一部の側面図である。テープファスナ１０は、後ウエスト域２２の側縁部７を境に横軸Ｘ（図１参照、以下同じ）の方向に第１及び第２区域１１，１２に区分され、互いに下側縁１１ａ，１２ａ及びこれらとほぼ平行な上側縁１１ｂ，１２ｂと、内端１１ｃ及び外端１４ａとから画成され、それら両側縁間にテープファスナ１０の長さ方向へ延びる仮想中心線Ｃを有する。第１区域１１は第２区域１２に対して後ウエスト域２２の端部６の側へずれて位置し、第１区域１１の下側縁１１ａと第２区域１２の下側縁１２ａの縦軸Ｙ（図１参照、以下同じ）の側への仮想延長線Ｎとの間にスペースＳが形成されている。具体的には、下側縁１１ａは、全体として、後ウエスト域２２の側縁部７から縦軸Ｙの側へ向かうにつれて後ウエスト域２２の端部６の側へ傾斜している。さらには、その傾斜状態に加えて、第１及び第２区域１１，１２の境界に隣接する第１区域１１の下側縁１１ａの部位が凸状の円弧Ｒ１に、かつ、これから内端１１ｃへ延びる部位が凹状の円弧Ｒ２に形成されている。ここにいう円弧は、特定の曲率半径を有する円形の円周の一部である必要はなく、着用者の大腿部に刺激を与えない適宜の大きさの曲縁であればよい。第２区域１２は、その仮想中心線Ｃがおむつ本体１の横軸Ｘと平行になるように後ウエスト域２２の側縁部７から横軸Ｘの方向へ延出している。このように第２区域１２が横軸Ｘと平行になるように延出しているので、着用者又は介助者が第２区域１２を胴周り方向に延びる受止シート片１９に止着する際に、摘持タブ１４の位置を指で意識的に確認することなく摘むことができ、スムーズに止着操作を行うことができる。摘持タブ１４の外端１４ａは交互に並ぶ凹凸状円弧によって形成されている。
【００２８】
図３は、おむつの着用状態を示す側面図である。テープファスナ１０がファスナ部１３を介して受止シート片１９に係合され、ウエスト開口と一対の脚開口とが画成されている。おむつがほぼ正常に着用されている場合、図２に示す特異形状を有するテープファスナ１０を使用するこの発明に係るおむつにおいては、おむつ本体１のサイズやテープファスナ１０の縦軸Ｙ方向における幅寸法にもよるが、第１区域１１の下側縁１１ａよりも下側に着用者の大腿部３０の上側面３０ａが位置している。したがって、着用者が脚を動かしたりしても、おむつ本体１がずれ下がらない限り、大腿部３０の上側面３０ａが第１区域１１の下側縁１１ａに当接することは少ない。仮に、おむつ本体１がずれ下がったり、着用者が脚を動かしたりすることにより、そのように当接した場合であっても、第１区域１１の下側縁１１ａが円弧に形成されているから、着用者に不快感を与えたり、大腿部３０の上側面３０ａを傷つけたり、炎症を起こしたりするような刺激を与えるおそれが少ない。
【００２９】
おむつの着用状態では、着用者の動作によってテープファスナに様々な力が作用する。例えば、その一例として、第１区域１１の下側縁１１ａ及び／又は上側縁１１ｂに、捲れ又は捩れるような力が作用したとき、その下側縁１１ａ及び／又は上側縁１１ｂが第２区域１２の下側縁１２ａ及び／又は上側縁１２ｂと一直線上に位置している場合には、その捲れ又は捩れが、受止シート片１９に受止された該ファスナ部１３の下側縁及び／又は上側縁に直線状に伝達し、ファスナ部１３を受止部から剥離させるように作用するおそれがある。
【００３０】
しかしながら、テープファスナ１０は、第１区域１１の下側縁１１ａ及び上側縁１１ｂのうちの少なくとも下側縁１１ａが、第２区域１２の下側縁１２ａと一直線上に位置していないから、前記捲れ又は捩れの作用がファスナ部１３に直接及ぶことが少なく、そのため前記おそれが少ない。
【００３１】
受止テープ片１９に係合したテープファスナ１０の第２区域１２のファスナ部１３を受止テープ片１９から剥離するときには、摘持タブ１４の外端１４ａを指先で摘持するが、その際、摘持タブ１４の外端１４ａが凹凸状円弧に形成されていることから、指先を外端１４ａの下面に臨ませ、指先によって外端１４ａをおむつ本体１の外面から離れる外方へ持ち上げて摘持し易い。
【００３２】
さらに、テープファスナ１０のファスナ部１３がメカニカルファスナのフック群である場合、おむつの未使用状態では、第２区域１２を縦軸Ｙの側へ折り返して繊維不織布から形成される肌当接面に剥離可能に係合させることが可能である。この場合、通常そうであるように、第２区域１２のファスナ部１３をこれと対向する肌当接面の当該部位に係合させる場合には、その全平面域に一定圧力が加えられる。本発明の場合には、第１及び第２区域１１，１２のそれぞれの全域がおむつの横方向へ直状に延びて、第１及び第２区域１１，１２が同一又は対称に形成されていないから、第２区域１２のファスナ部１３が第１区域１１に対して縦軸Ｙとの方向にずれて対向し、第２区域１２のファスナ部１３が繊維不織布を介して第１区域１１に重なる部位と重ならない部位とが生じる。重なる部位は第１区域１１が位置し肌当接面の残余の領域よりも厚く（高く）かつ比較的剛性であることから、第２区域１２のファスナ部１３の肌当接面に対する圧接力が比較的高く加えられて比較的強く係合し、重ならない部位は第１区域１１が存在せず薄い（低い）ことから、第２区域１２のファスナ部１３の肌当接面に対する圧接力が比較的低く加えられて比較的係合力が弱くなる傾向がある。このように、当該係合部分に比較的係合力が弱い部分が存在すると、おむつ／テープファスナの使用時に第２区域１２を当該係合部分から剥離させ易い。
【００３３】
また、この剥離の場合、摘持タブ１４の外端１４ａを指先で摘持するが、その際、外端１４ａが凹凸状円弧に形成されていることから、指先を外端１４ａの下面に臨ませ、指先によって外端１４ａをおむつ本体１の外面から離れる外方へ持ち上げて摘持し易い。
【００３４】
なお、第１区域１１の面積はファスナ部１３のそれよりも大に形成されており、第１区域１１のおむつ本体１に対する固定強度が充分に保たれ、そこに比較的強い引張力が作用しても、その固定部から抜脱したり、その固定部が破損したりするようなおそれがない。
【００３５】
図４は、テープファスナ１０の形状の他の実施の各形態を示す。これら形態のテープファスナ１０は、前記実施の形態と基本的構成が実質的に同じで、実質的に同じ作用及び効果を奏する。したがって、以下では、説明の重複を避けるため、それらの作用及び効果の記載を省略し、それらの形状を前記実施の形態と異なる部分に関して簡単に説明するのにとどめる。
【００３６】
図４の（ａ）において、テープファスナ１０の第１区域１１は、おむつ本体１の側縁部７からおむつ本体１の端部６の側へ下側縁１１ａ及び上側縁１１ｂが、凸状に湾曲し、続いて、それらの側縁が、縦軸Ｙの側へ横軸Ｘとほぼ平行な直線状に延びている。
【００３７】
図４の（ｂ）において、テープファスナ１０の第１区域１１は、おむつ本体１の側縁部７の近傍で下側縁１１ａ及び上側縁１１ｂが、おむつ本体１の端部６の側へ湾曲し、続いて、それらの側縁が、端部６の側へ直線状に延びている。
【００３８】
図４の（ｃ）において、テープファスナ１０の第１区域１１は、下側縁１１ａ及び上側縁１１ｂが、おむつ本体１の端部６の側へ傾斜し、それら側縁が凹凸状円弧に形成されている。
【００３９】
図４の（ｄ）において、テープファスナ１０の第１区域１１は、おむつ本体１の側縁部７の近傍で下側縁１１ａ及び上側縁１１ｂが、おむつ本体１の端部６の側へ凸状に湾曲し、続いて、それらの側縁が、反対側へ凸状に湾曲している。
【００４０】
図４の（ｅ）において、テープファスナ１０の第１区域１１は、おむつ本体１の側縁部７からその端部６の側と反対側へ凸状に湾曲している。
【００４１】
前記各態様から理解されるように、第１区域１１の下側縁１１ａ及び上側縁１１ｂには、第１区域１１の内端１１ｃを除いて、着用者の肌を刺激するような尖った部位が全く存在しない、すなわち、全て円弧に形成されている。ただし、必要に応じ、端部１１ｃの角も円弧に形成されてもよい。
【図面の簡単な説明】
【００４２】
【図１】使い捨ておむつをその肌当接面の側から見た部分破断平面図。
【図２】使い捨ておむつのテープファスナの形状及び取り付け状態を示す部分側面図。
【図３】テープファスナの使用状態を示す側面図。
【図４】テープファスナの他の実施の形態を示す図２と同様の部分図。
【図５】従来のテープファスナの使用状態を示す説明図。
【符号の説明】
【００４３】
１  おむつ本体
６  おむつ本体の端部
７  おむつ本体の側縁部
１０  テープファスナ
１１  第１区域
１１ａ  第１区域の下側縁
１１ｂ  第１区域の上側縁
１２  第２区域
１２ａ  第２区域の下側縁
１２ｂ  第２区域の上側縁
１３  ファスナ部
１４  摘持タブ
Ｙ  縦軸
Ｘ  横軸
Ｃ  テープファスナの長さ方向中心線
Ｎ  仮想延長線
Ｓ  スペース
【図１】
2008188349.tif 000003
【図２】
2008188349.tif 000004
【図３】
2008188349.tif 000005
【図４】
2008188349.tif 000006
【図５】
2008188349.tif 000007